(57)【要約】【課題】データを効率的に整理することを目的とする。【解決手段】記憶部に格納されている生データや、この生データを加算することによって生成した加算データを画像として表示する加算データ表示領域９１０と、この生データや、加算データに対して各種解析を行った結果である解析結果を表示する解析結果表示領域９２０ａと、加算データ表示領域９１０や、解析結果表示領域９２０ａに表示されている画像データを一時的に保管する一時保管領域６２０と、一時保管領域に保管されている画像データを用いて、レポートを作成するためのレポート作成領域１０１０を１つのウィンドウ画面内に表示することを特徴とする。【選択図】図１０
2010094358.tif 000002
【特許請求の範囲】
【請求項１】
生体から生じる磁場を計測する装置である生体磁気計測装置の情報処理装置による画面表示方法であって、
前記情報処理装置は、
記憶部に格納されている第１のデータを使用して生成され、所定のデータが埋め込まれてから２次加工可能にされた画像データを表示する第１の表示領域と、
前記第１の表示領域に表示されている画像データを使用して、前記画像データを含む文書データを作成するための第２の表示領域と、
を１つのウィンドウ画面内に表示することを特徴とする生体磁気計測装置の画面表示方法。
【請求項２】
前記第２の表示領域は、前記文書データを作成するための文書作成領域と、前記第１の表示領域に表示されている画像データのうち、操作者により選択され、前記文書データを作成する際に使用する画像データを一時的に保管する一時保管領域と、
を有し、
前記情報処理装置は、
前記文書データの作成時以外では、前記文書作成領域を画面表示せず、
前記一時保管領域は、前記第１の表示領域と共に常に画面表示する
ことを特徴とする請求項１に記載の生体磁気計測装置の画面表示方法。
【請求項３】
前記第１の表示領域から、前記一時保管領域への画像データの移動は、ドラッグアンドドロップによって行われることを特徴とする請求項２に記載の生体磁気計測装置の画面表示方法。
【請求項４】
前記記憶部に格納されているデータは、生体から生じる磁場を計測する装置から取得した生データと、当該生データを加工した加工データと、を含み、
前記第１の表示領域は、前記生データの画像データを表示する生データ表示領域と、前記加工データの画像データを表示する加工データ表示領域とを有し、
前記生データ表示領域および前記加工データ表示領域のそれぞれは、入力部を介して入力された所定の指示により、拡大および縮小が可能である
ことを特徴とする請求項１に記載の生体磁気計測装置の画面表示方法。
【請求項５】
前記計測装置は、心磁計である
ことを特徴とする請求項４に記載の生体磁気計測装置の画面表示方法。
【請求項６】
前記心磁計は、ＳＱＵＩＤ（Superconducting Quantum Interference Device）を用いて、生体の磁場を測定する装置である
ことを特徴とする請求項５に記載の生体磁気計測装置の画面表示方法。
【請求項７】
前記情報処理装置は、
入力部を介して、所定の指示が与えられると、前記生データを加算し、
前記加算された加算データを表示する第３の表示領域を画面に表示する
ことを特徴とする請求項１に記載の生体磁気計測装置の画面表示方法。
【請求項８】
前記情報処理装置は、
入力部を介して、所定の指示が与えられると、前記生データから、母体心磁除去処理を行う
ことを特徴とする請求項４に記載の生体磁気計測装置の画面表示方法。
【請求項９】
前記情報処理装置の起動時において、
前記情報処理装置は、
前記記憶部における第１のデータと紐付けられたデータが、リスト形式で表示される第４の表示領域を画面表示し、
前記第４の表示領域に表示されているデータのうち、１つのデータが選択されると、前記選択されたデータと紐付けられている前記第１のデータのファイル名が、前記第４の表示領域内に表示され、
前記第４の表示領域内に表示されている前記第１のデータのファイル名をクリックすると、前記第１のデータと親子関係にあるデータのファイル名が強調表示され、
所定の指示が与えられると、
前記第１の表示領域および前記第２の表示領域が画面表示される
ことを特徴とする請求項１に記載の生体磁気計測装置の画面表示方法。
【請求項１０】
前記情報処理装置は、
検査結果の解析装置であり、
前記第１のデータと紐付けられたデータとは、被検者の情報である
ことを特徴とする請求項９に記載の生体磁気計測装置の画面表示方法。
【請求項１１】
前記第１のデータが複数存在する場合、
前記情報処理装置は、
当該第１のデータにおける各データ間で時相調整処理を行うことを特徴とする請求項１に記載の生体磁気計測装置の画面表示方法。
【請求項１２】
請求項１から請求項１１のいずれか一項に記載の生体磁気計測装置の画面表示方法をコンピュータに実行させることを特徴とするプログラム。
【請求項１３】
生体磁気計測装置から取得したデータの画面表示を行う情報処理装置であって、
記憶部に格納されているデータを使用して生成され、所定のデータが埋め込まれて２次加工可能にされた画像データを表示する第１の表示領域と、前記第１の表示領域に表示されている画像データを使用して、前記画像データを含む文書データを作成するための第２の表示領域と、を１つのウィンドウ画面内に表示する表示処理部を有することを特徴とする情報処理装置。
【請求項１４】
前記第２の表示領域は、前記文書データを作成するための文書作成領域と、前記第１の表示領域に表示されている画像データのうち、操作者により、選択され、前記文書データを作成する際に使用する画像データを一時的に保管する一時保管領域と、
を有し、
前記表示処理部は、
前記文書データの作成時以外では、前記文書作成領域を画面表示せず、前記一時保管領域は、前記第１の表示領域と共に常に画面表示する機能をさらに有する
ことを特徴とする請求項１３に記載の情報処理装置。
【発明の詳細な説明】
【技術分野】
【０００１】
本発明は、生体から生じる磁場を計測する装置（生体磁気計測装置）の画面表示方法、プログラムおよび情報処理装置の技術に関する。
【背景技術】
【０００２】
高感度磁気センサの超伝導量子干渉素子（Superconducting Quantum Interference Device：ＳＱＵＩＤ）を用いて、生体から生じる磁場を測定し、その測定結果から、生体内部の磁場源の位置を推定し、その分布を再構成する生体の磁場図表示装置が開示されている（例えば、特許文献１および特許文献２参照）
【特許文献１】特許第３１４０７３１号公報
【特許文献２】特許第３１４０７３２号公報
【発明の開示】
【発明が解決しようとする課題】
【０００３】
特許文献１や、特許文献２に記載の技術などによって得られる解析結果データは、最終的にレポートなどの文書データとしてまとめられることになるが、特許文献１や、特許文献２に記載の技術は、解析結果を表示することに重点がおかれているため、最終的なレポートの作成では、他のアプリケーションを使用するなどの手間が必要となる。さらに、レポートの作成では、様々な解析結果を使用するため、特許文献１や、特許文献２に記載の技術を利用してレポートを作成するためには、その都度、使用したいデータが表示されている画面を開く必要があり、作業が煩瑣となってしまう。
【０００４】
このような背景に鑑みて本発明は、データの整理を効率的に行うことを目的とする。
【課題を解決するための手段】
【０００５】
前記課題を解決するため、本発明は、生体から生じる磁場を計測する装置である生体磁気計測装置の情報処理装置の画面において、画像データを表示する第１の表示領域と、第１の表示領域に表示されている画像データを使用した文書データを作成するための第２の表示領域と、を１つのウィンドウ画面内に表示することを特徴とする。
【発明の効果】
【０００６】
本発明によれば、データの整理を効率的に行うことができる。
【発明を実施するための最良の形態】
【０００７】
次に、本発明を実施するための最良の形態（「実施形態」という）について、適宜図面を参照しながら詳細に説明する。
【０００８】
《装置構成》
図１は、本実施形態に係る情報処理装置の構成例を示すブロック図である。
情報処理装置１は、計測装置としての心磁計から取得したデータ（心磁計測データ、生データ２１）を解析し、レポートを作成するための装置であり、情報を処理する処理部１０、情報を記憶する記憶部２０、情報を表示する表示部３０および情報の入力を行う入力部４０を有する。ちなみに、心磁計は、例えば、ＳＱＵＩＤを用いて、生体から生じる磁場を測定する装置であり、この心磁計からのデータは、入力部４０を介して情報処理装置１へ入力される。また、表示部３０は、ディスプレイなどで構成され、入力部４０は、キーボードやマウスやネットワークインタフェースなどで構成され、記憶部２０は、ＨＤ（Hard Disk）や、ＲＡＭ（Random Access Memory）などで構成される。
処理部１０は、表示処理部１１、データ取得部１２、加算処理部１３、母体心磁除去処理部１４、時相調整処理部１５、データ保存部１６および解析部１７を有してなる。
表示処理部１１は、表示部３０に表示する画面データなどを生成し、この画面データを表示部３０に表示させる機能を有する。データ取得部１２は、入力部４０を介して入力された心磁計からのデータ（生データ２１：第１のデータ）や、記憶部２０に記憶されている各データを取得する機能を有する。加算処理部１３は、後記して説明する加算データ処理を行う機能を有する。母体心磁除去処理部１４は、胎児の心磁計測データを取り扱う際に、母体の影響を除去する処理を行う機能を有する。時相調整処理部１５は、加算データ処理などを行う際に、心磁計測データの位相（時相）を揃える機能を有する。データ保存部１６は、データを記憶部２０に保存する機能を有する。解析部１７は、入力部４０を介して入力された指示に基づいて、生データ２１、あるいは、後記して説明する加算データ２２を解析処理する機能を有する。解析処理は、生データ２１、あるいは、加算データ２２を基に、心臓における磁場を２次元表示するマップ処理などがある。
【０００９】
記憶部２０は、心磁計から取得したデータである生データ２１や、生データ２１を加算してノイズを除去した加算データ２２（第１のデータ）を有する。また、記憶部２０は、生データ２１や、解析結果データ２４（第１のデータ、加工データ）などと、被検者の情報とを紐付けているリストデータ２３や、解析処理された結果である解析結果データ２４を有する。さらに、記憶部２０は、後記する一時保管領域に表示されている画像データを保持している一時保管データ２５や、生データ２１や、加算データ２２や、解析結果データ２４を使用して作成されたレポートの文書および画像データであるレポートデータ２６も有している。
【００１０】
図１における各部１０〜１６は、図示しないＲＯＭ（Read Only Memory）や、図示しないＨＤ（Hard Disk）に格納されたプログラムが、図示しないＲＡＭに展開され、図示しないＣＰＵ（Central Processing Unit）によって実行されることによって具現化する。また、情報処理装置１は、生体から生じる磁場を計測する装置である生体磁気計測装置の一部であってもよい。
【００１１】
《フローチャートおよび画面例》
次に、図１を参照しつつ、図２〜図４の各フローチャートおよび図５〜図１０の各画面例に沿って、本実施形態に係る操作手順を説明する。
【００１２】
（リスト表示画面におけるデータ選択処理）
まず、図２および図５を参照して、リスト表示画面５００（第４の表示領域）におけるデータ選択処理を説明する。
図２は、本実施形態に係る全体処理の流れを示すフローチャートであり、図５は、本実施形態に係るリスト表示画面の例を示す図である。
情報処理装置１が起動されると、表示処理部１１は、図５のリスト表示画面５００を表示し、入力部４０を介して、ユーザが対象となるデータを選択するデータ選択処理を行う（Ｓ１０１）。データ選択処理は、以下の手順で行われる。
リスト表示画面５００において、被検者リスト表示領域５０１と、検査リスト表示領域５０２と、データリスト表示領域５０３とが、１つのウィンドウ画面内に表示されている。
被検者リスト表示領域５０１には、被検者毎に一意に付される被検者番号や、氏名や、性別や、生年月日や、検査数や、生データ数や、加算データ数や、レポート数などが、被検者毎に表示されている。
また、検査リスト表示領域５０２は、検査毎のデータを表示する領域であり、検査毎に一意に付される検査番号や、該当する検査を受けた被検者の被検者番号や、登録日や、年齢や、体重や、身長や、科名や、部門や、依頼医や、診察者氏名や、レポートなどが表示される。なお、コメント欄には、検査に対するコメントが表示される。
ユーザが、入力部４０を介して被検者リスト表示領域５０１における所定のレコード５１１をクリック（選択入力）すると、そのレコード５１１が強調表示される。すると、検査リスト表示領域５０２において、レコード５１１の被検者に関連するレコード５１２が強調表示される。さらに、データリスト表示領域５０３には、この被検者に関連する生データ２１のファイル名５２１、加算データ２２のファイル名５２２およびレポートのファイル名５２３が表示される。
【００１３】
ユーザが、データリスト表示領域５０３に表示されているファイル名から、任意のファイル名を選択し、さらに「リスト」ボタン６５０をクリックすると、そのデータに関する詳細な情報がデータ情報表示領域５０５に表示される。図５の例では、生データ２１の欄５２１が選択されているため、生データ２１「１２３４５６．ａｄ」の詳細な情報が表示されている。
このような表示される情報間の関連付けは、被検者番号に紐付けられた被検者情報や、検査番号に紐付けられた検査情報や、被検者番号、検査番号、生データ２１、加算データ２２およびレポートデータ２６を紐付けたデータ（第１のデータと紐付けられたデータ）が、記憶部２０のリストデータ２３に予め格納されることによってなされている。
【００１４】
そして、データリスト表示領域５０３に表示されているファイル名５２１〜５２３から、任意のファイル名をクリックし、「決定」ボタン５０４をクリックすると、データ選択処理がなされ、処理部１０は、図２のステップＳ１０２〜Ｓ１０４の各処理に移行する。
【００１５】
例えば、生データ２１のファイル名５２１が選択された状態で、「決定」ボタン５０４がクリックされると、表示処理部１１は、図６で後記する波形確認画面６００を表示部３０に表示し、処理部１０は、生データ処理（図２のステップＳ１０２）に処理を移行する。そして、加算データ２２のファイル名５２２が選択された状態で、「決定」ボタン５０４がクリックされると、表示処理部１１は、図９で後記する解析画面９００を表示部３０に表示し、解析部１７が、解析処理（図２のステップＳ１０３）を実行する。さらに、レポートデータ２６のファイル名５２３が選択された状態で、「決定」ボタン５０４がクリックされると、表示処理部１１は、図１０のレポート作成画面１０００を表示部３０に表示し、処理部１０が、レポート作成処理（図２のステップＳ１０４）に処理を移行する。
【００１６】
「変更」ボタン５３１〜５３３は、各表示領域において選択したレコードや、欄を変更する際にクリックするボタンである。「キャンセル」ボタン５３４は、すべての選択を取り消す際にクリックするボタンである。「詳細表示」ボタン５３５は、データ情報表示領域５０５に表示されている情報を、より詳細に表示する際にクリックするボタンである。そして、「閉じる」ボタン５３６がクリックされると、表示処理部１１は、リスト表示画面５００を消去し、処理が終了する。
【００１７】
（生データ処理）
次に、図３および図６〜図８を参照して、生データ処理を説明する。なお、図３の生データ処理は、図２のステップＳ１０２に相当する処理である。
図３は、図２のステップＳ１０２に相当する生データ処理の操作手順を示すフローチャートであり、（ａ）は、成人データに対する処理を示し、（ｂ）は、胎児データに対する処理を示す。また、図６は、本実施形態に係る波形確認画面の画面例を示す図であり、図７は、加算処理画面の画面例を示す図であり、図８は、モード選択画面の画面例を示す図である。
図３（ａ）および図３（ｂ）の処理の選択は、前記したように、図５の生データ２１のファイル名５２１が選択された状態で、「決定」ボタン５０４がクリックされるなどにより行われる処理である。
【００１８】
（波形確認画面による波形確認処理）
図６に示す波形確認画面６００は、図３（ａ）のステップＳ２０１の波形確認処理で表示される画面であり、波形表示領域６１０（第１の表示領域、生データ表示領域）と、一時保管領域６２０（第２の表示領域）とが、１つのウィンドウ画面内に表示されている。また、解析結果表示領域６３０（第１の表示領域、加工データ表示領域）が、波形表示領域６１０の後ろに隠れている状態であるが、タブ６３１をクリックしたり、各領域の縁をドラッグすることによって、波形表示領域６１０および解析結果表示領域６３０を縮小したり、拡大したりすることが可能である。
【００１９】
波形表示領域６１０には、生データ２１の波形（生波形６１１）が画像データとして表示されている。この生波形６１１は、Ｃｈ設定領域６１２で選択されたチャンネル（心磁計のチャンネル）で計測された生データ２１の波形を画像データ化したものである。また、Ｃｈプレビュー表示領域６１３には、生データ２１のすべてのチャンネルの波形が表示されている。なお、Ｃｈプレビュー表示領域６１３に表示されている波形画像は、データ取得部１２が、記憶部２０から取得した生データ２１である。ユーザが、Ｃｈプレビュー表示領域６１３に表示されている波形の一部を、選択することにより、表示処理部１１は、この選択された領域に該当する波形を生波形６１１として表示する。この生波形６１１は、時間や、波高などのデータが埋め込まれており、切り取りや、拡大・縮小などの２次加工が可能にされた画像データである。
【００２０】
ユーザが、生波形６１１（画像データ）を一時保管領域６２０にドラッグアンドドロップすることで、選択した生波形６１１（画像データ）を一時保管領域６２０に表示させることができる（符号６２２）。これは、図３のステップＳ２０８の一時保管処理に相当する処理である。このようにすることで、レポート作成に利用したい画像を確認しながら、処理を進めることができる。なお、一時保管領域６２０に表示されるデータは、一時保管データ２５として記憶部２０に格納されることになる。データ選択ラジオボタン６２１は、一時保管領域６２０で表示するデータを選択するためのラジオボタンである。例えば、「生波形」ラジオボタンが選択されると、表示処理部１１は、一時保管領域６２０に生波形形式のデータを表示し、その他の形式のデータを表示しない。同様に、「加算波形」ラジオボタンが選択されると、表示処理部１１は、図４で加算処理された波形データを表示し、その他のデータを表示しない。さらに、「マップ」ラジオボタンが選択されると、表示処理部１１は、図４で解析処理されたマップ形式のデータを表示し、その他のデータを表示しない。また、一時保管領域６２０には、画像データに対する簡単なメモや、コメントなどを、ユーザが入力部４０を介して入力することにより、表示することもできる。このようにすることで、ユーザは、何の目的でその画像データを一時保管領域６２０に保存したのかを、後で確認することができる。
さらに、「レポート作成」ボタン６２３がクリックされると、表示処理部１１は、図１０に示すレポート作成画面を表示して、処理部１０は、レポート作成処理に処理を移行する（図３（ａ）で図示せず）。
【００２１】
「前へ」ボタン６１５がクリックされると、一つ前の処理に戻る。図６の波形確認画面６００では、「前へ」ボタン６１５がクリックされると、図５のリスト表示画面５００へ移る。「終了」ボタン６１６がクリックされると、表示処理部１１は、波形確認画面６００を消去し、処理部１０は、処理を終了する。このとき、必要に応じて、図示していない保存ボタンをクリックするなどして、適宜波形確認画面６００の保存を行ってもよい。
「モード変更」ボタン６４０がクリックされると、表示処理部１１は、図８に示すモード選択画面８００に移行する。「加算へ」ボタン６１４がクリックされると、表示処理部１１は、図７に示す加算処理画面７００を表示し、処理部１０は、ステップＳ２０３に処理を移行する。また、図示しない「リストへもどる」ボタンがクリックされると、表示処理部１１は、図５のリスト表示画面５００を表示し、処理部１０は、データ選択処理に処理を戻す（図３（ａ）のステップＳ２０２）。
【００２２】
（加算処理画面における加算処理）
次に、図３（ａ）のステップＳ２０３で表示される加算処理画面について説明する。
なお、図７において、図６と同様の構成要素については同一の符号を付して説明を省略する。
加算処理画面７００では、波形表示領域６１０ａの前に加算処理表示領域７１０（第３の表示領域）が表示されている。
加算処理表示領域７１０では、生波形７１１と、加算設定領域７１２と、加算波形７１４とが表示されている。生波形７１１は、図６の生波形６１１と同様であるので説明を省略する。加算設定領域７１２では、表示チャンネル設定、フィルタ設定、ピーク検出パラメータ設定などの各種設定を行い、「加算波形作成」ボタン７１３がクリックされることによって、加算処理部１３が、生波形データを加算する加算処理を行い（図３（ａ）のステップＳ２０３）し、表示処理部１１が加算した波形データを画像データ化した加算波形７１４として表示する。この加算波形７１４は、時間や、波高などのデータが埋め込まれており、切り取りや、拡大・縮小などの２次加工が可能にされた画像データである。
「続けて加算」ボタン７２２がクリックされると、加算処理表示領域７１０がもう１つ表示され、再度、加算処理を行うことができる（図３（ａ）のステップＳ２０７）。
「保存」ボタン７２１がクリックされると、データ保存部１６が、生成した加算データ２２を記憶部２０に保存するデータ保存処理が行われる（図３（ａ）のステップＳ２０４）。
さらに、「解析へ」ボタン７２３がクリックされると、表示処理部１１は、図９に示す解析画面９００を表示し、解析部１７が、解析処理を実行する（図３（ａ）のステップＳ２０５）。
また、終了」ボタン６１６がクリックされると、表示処理部１１は、波形確認画面６００を消去し、処理部１０は、処理を終了する（図３（ａ）のステップＳ２０６）。
【００２３】
また、ユーザが、加算波形７１４（画像）を一時保管領域６２０にドラッグアンドドロップすることで、選択した加算波形７１４（画像）を一時保管領域６２０に表示させることができる（符号６２２）。これは、図３（ａ）のステップＳ２０８の一時保管処理に相当する処理である。このようにすることで、レポート作成に利用したい画像を確認しながら、処理を進めることができる。
なお、各領域の縁をドラッグすることによって、加算処理表示領域７１０および解析結果表示領域６３０を縮小したり、拡大したりすることが可能である。
【００２４】
（モード設定画面による母体心磁除去処理の選択）
図８に示すモード設定画面６００ａは、図６や図７の「モード変更」ボタン６４０がクリックされることにより、表示される画面である。なお、図８において、図６と同様の構成要素に関しては、同一の符号を付して説明を省略する。
モード設定画面６００ａにおいて、「モード変更」ボタン６４０がクリックされると、「成人」ボタン６４１および「胎児」ボタン６４２を有するモード選択領域６４０ａが表示される。ここで、「成人」ボタン６４１がクリックされると、図３（ａ）に示す生データ処理が実行され、「胎児」ボタン６４２がクリックされると、図３（ｂ）に示す生データ処理が実行されることになる。具体的には、図３（ｂ）に示すステップＳ２５１の母体心磁除去処理が行われ、胎児から得られた生データ２１から母体の影響が除去される。なお、「閉じる」ボタン６４３がクリックされると、モード選択領域６４０ａが閉じる。また、このとき必要に応じて、母体心磁除去された心磁データの保存をユーザに促す旨の表示をする。そして、図示しない保存ボタンをユーザがクリックすることによって、母体心磁除去された心磁データを新たな生データとして保存することもできる。図３（ｂ）におけるステップＳ２５１以外の処理は、図３（ａ）と同様であるので、同一のステップ番号を付して説明を省略する。
【００２５】
ここで、母体心磁除去処理について説明する。
母体心磁除去処理は、母体腹壁上に磁気センサを配置し、胎児心磁計測を行う際に、母体の心臓から生じる磁場（母体心磁）が混入し、胎児信号との区別が困難となる場合があるために行われる処理である。この母体心磁を除去する方法としてテンプレート波形を用いる方法と、信号源分離方法の２つが通常適用される。
このうち、テンプレート波形を用いる方法は、A. Kandori, T. Hosono, T. Kanagawa, S. Miyashita, Y. Chiba, M. Murakami, T. Miyashita and K. Tsukada, Detection of atrial-flutter and atrial-fibrillation waveforms by fetal magnetocardiogram, Med. Biol. Eng. Comput., vol. 40, pp. 213-217, 2002.に記載されている技術であり、母体心磁除去処理部１４は、心磁計測データにおける数心拍の母体心磁波形を用いて、母体心磁の平均波形を作成する。そして、母体心磁除去処理部１４は、この平均波形を母体心磁のテンプレート波形とする。さらに、母体心磁除去処理部１４は、生データ２１から母体心磁ピーク時刻を検出し、母体心磁のテンプレート波形を除去することによって母体心磁を除去する。
【００２６】
また、信号源分離方法は、S. Comani, M. Liberati, D. Mantini, E. Gabriele, D. Brisinda, SD. Luzio, R. Fenici and GL. Romani, Characterization of fetal arrhythmias by means of fetal ultrasinographic imaging, PACE, vol. 27, pp. 1674-1655, 2004.に記載されている技術であり、母体心磁除去処理部１４は、生データ２１から母体心磁を除去する信号源分離方法として、独立成分分析を用いる。独立成分分析では、原理的に測定Ｃｈ（Channel）数個分の独立した信号源を分離できる方法である。
【００２７】
（解析処理画面における解析処理）
次に、次に、図４および図９を参照して、解析処理を説明する。なお、図４の生データ処理は、図２のステップＳ１０３や、図３のステップＳ２０５に相当する処理である。
図４は、本実施形態に係る解析処理の操作手順を示すフローチャートであり、（ａ）は、１つの加算データを使用する場合の手順であり、（ｂ）は、複数の加算データを使用する場合の手順である。また、図９は、本実施形態に係る解析画面の画面例を示す図である。
図９に示す解析画面９００は、図６〜図８に示すタブ６３１がクリックされることにより表示されたり、図７に示す「解析へ」ボタン７２３がクリックされることにより表示される画面であり、図４（ａ）のステップＳ３０１の処理で表示されたりする画面である。
【００２８】
解析画面９００において、加算データ表示領域９１０、解析結果表示領域９２０（第１の表示領域、加工データ表示領域）および一時保管領域６２０が１つのウィンドウ画面内に表示されている。ここで、一時保管領域６２０は、図６で説明した一時保管領域６２０と同様であるため、説明を省略する。
加算データ表示領域９１０は、図７に示す加算処理表示領域７１０が縮小表示されたものであり、縮小に伴って表示内容が整理されて表示されている。図９に示す加算データ表示領域９１０の例では、生波形９１１および加算波形９１２が表示されている。生波形９１１は、図６の生波形６１１と同様であり、加算波形９１２は、図７の加算波形７１４と同様であるため説明を省略する。
解析結果表示領域９２０（第１の表示領域）、では、図９に示すように各種解析結果を表示可能である。図９の例では、「マップ（アロー図）」、「３Ｄ」、「ダイポール」、「生波形」などの各種解析結果の画像データが、タブをクリックすることによって表示される。これらの解析処理が行われるタイミングは、例えば、図７に示す「解析へ」ボタン７２３がクリックされたタイミングであり、この「解析へ」ボタン７２３がクリックされると同時に、解析部１７が各種解析処理を行う（図４（ａ）のＳ３０１）。
図９の例では、「マップ（アロー図）」が選択されている状態であり、解析結果の画像データとして、マップ図９２１が時刻毎に表示されている。なお、マップ図９２１は、煩雑になるのを避けるため、空白となっているが、実際には、磁場から計算される電流ベクトルを示す矢印と、スカラを示す等高線などが２次元マップとして表示されている。このマップ図９２１は、ｘ座標、ｙ座標や、ベクトル値、スカラ値などのデータが埋め込まれており、切り取りや、拡大・縮小などの２次加工が可能にされた画像データである。
【００２９】
ユーザは、解析結果表示領域９２０に表示されているデータ（画像）を一時保管領域６２０にドラッグアンドドロップすることで、レポート作成に使用したいデータ（画像）を一時保管領域６２０に表示させる一時保管処理を行うことができる（図４（ａ）のステップＳ３０５）。ステップＳ３０５における一時保管処理は、図３のステップＳ２０８と同様であるため、説明を省略する。
【００３０】
そして、図示しない「リストへ戻る」ボタンがクリックされると、表示処理部１１は、図５のリスト表示画面５００を表示部３０に画面表示し、処理部１０は、データ選択処理へ処理を戻す（図４（ａ）のステップＳ３０２）。また、図９に図示していない「閉じる」ボタンがクリックされることにより、表示処理部１１は、解析画面９００を画面上から消去して、処理部１０は処理を終了させる（図４（ａ）のステップＳ３０３）。さらに、「レポート作成」ボタン６２３がクリックされると、表示処理部１１は、図１０のレポート作成画面１０００を画面表示し、処理部１０は、レポート作成処理へ処理を移行する（図４（ａ）のステップＳ３０４）。
【００３１】
なお、図７の「続けて加算」ボタン７２２がクリックされることなどにより、加算データ２２が複数生成されている場合、図４（ｂ）に示すように、解析部１７による解析処理の前に、時相調整処理部１５が時相調整処理を行う（図４（ｂ）のＳ３５１）。これは、異なる加算データ２２を使用して解析処理を行う場合、加算データ２２の時相をそろえる必要があるためであり、時相調整処理が、例えば各加算データ２２におけるピーク時を検出し、このピーク時で各加算データ２２をそろえることによって、時相調整処理を行う。
図４（ｂ）におけるステップＳ３５１以外の処理は、図４（ａ）と同様であるため、同一のステップ番号を付して説明を省略する。
なお、各領域９１０，９２０，６２０の縁をドラッグすることによって、各領域９１０，９２０，６２０を縮小したり、拡大したりすることが可能である。特に、一時保管領域６２０の縁をドラッグすることにより、表示処理部１１は、図１０で後記するレポート作成領域１０１０を表示することが可能である。
【００３２】
（レポート作成画面によるレポート作成処理）
図１０は、本実施形態に係るレポート作成画面の画面例を示す図である。図１０に示すレポート作成画面１０００は、図６〜図９に示すレポート作成ボタン６２３がクリックされることにより表示される画面であり、図２のステップＳ１０４や、図４のステップＳ３０４の処理で表示される画面である。
レポート作成画面１０００において、加算データ表示領域９１０（第１の表示領域、生データ表示領域）、解析結果表示領域９２０ａ（第１の表示領域、加工データ表示領域）、レポート作成領域１０１０（第２の表示領域、文書作成領域）および一時保管領域６２０（第２の表示領域）が１つのウィンドウ画面内に表示されている。図１０のように、加算データ表示領域９１０を画面左側、解析結果表示領域９２０ａを画面中央、レポート作成領域１０１０を画面右側に配置することによって、加算→解析→レポート作成の流れを視覚的に分かりやすくユーザに示すことができる。
これらの領域９１０，９２０ａ、１０１０，６２０のうち、加算データ表示領域９１０および一時保管領域６２０は、前記した図６および図９で説明した加算データ表示領域９１０および一時保管領域６２０と同様であるため、同一の符号を付して説明を省略する。
さらに、解析結果表示領域９２０ａは、図９で説明した解析結果表示領域９２０の一部がレポート作成領域１０１０の後ろに隠れている状態であるため、説明を省略する。
【００３３】
レポート作成領域１０１０は、被検者情報表示領域１０１１、画像データ表示領域１０１２、コメント表示領域１０１３などを有してなる。
被検者情報表示領域１０１１は、被検者に関する情報を表示する領域であり、ユーザが入力部４０を介して入力してもよいし、図５の被検者リスト表示領域５０１で選択された情報が表示されてもよい。
画像データ表示領域１０１２は、一時保管領域６２０から、ドラッグアンドドロップなどでコピーされた画像データ１０１４を表示する領域である。
コメント表示領域１０１３は、ユーザが入力部４０を介して入力した画像データ表示領域１０１２に表示されている画像に対するコメントをテキストデータとして表示する領域である。
なお、レポート作成領域１０１０におけるレイアウトは、図１０に示すレイアウトに限らず、ユーザの好みやフォーマットにあわせて自由に変更可能である。
また、各領域９１０，９２０ａ，１０１０の縁をドラッグすることによって、各領域９１０，９２０ａ，１０１０を縮小したり、拡大したりすることが可能である。
【００３４】
また、図５に示すリスト表示画面５００を、図６や、図９や、図１０の各画面と同時に１つのウィンドウ内に表示してもよい。この場合、波形確認画面６００（図６）や、解析画面９００（図９）や、レポート作成画面１０００（図１０）の上部に、リスト表示画面５００を表示してもよい。
【００３５】
（効果）
本実施形態によれば、生データ２１や、解析結果データ２４などを表示する領域と、これらのデータを扱ってレポート作成するための領域とを、１つのウィンドウ画面内に表示することができるため、他のアプリケーションなどを起動する必要がなく、レポート作成の効率を向上させることができる。
また、通常時は、レポート作成領域１０１０を表示せず、レポート作成に必要な画像データなどを一時的に格納・表示するための一時保管領域６２０を、生データ２１や、解析結果データ２４を表示しているときに、常に表示することで、作業の効率をさらに向上させることができる。
【図面の簡単な説明】
【００３６】
【図１】本実施形態に係る情報処理装置の構成例を示すブロック図である。
【図２】本実施形態に係る全体処理の流れを示すフローチャートである。
【図３】本実施形態に係る生データ処理の操作手順を示すフローチャートであり、（ａ）は、成人データに対する処理を示し、（ｂ）は、胎児データに対する処理を示す。
【図４】本実施形態に係る解析処理の操作手順を示すフローチャートであり、（ａ）は、１つの加算データを使用する場合の手順であり、（ｂ）は、複数の加算データを使用する場合の手順である。
【図５】本実施形態に係るリスト表示画面の例を示す図である。
【図６】本実施形態に係る波形確認画面の画面例を示す図である。
【図７】本実施形態に係る加算処理画面の画面例を示す図である。
【図８】本実施形態に係るモード選択画面の画面例を示す図である。
【図９】本実施形態に係る解析画面の画面例を示す図である。
【図１０】本実施形態に係るレポート作成画面の画面例を示す図である。
【符号の説明】
【００３７】
１      情報処理装置
１０    処理部
１１    表示処理部
１２    データ取得部
１３    加算処理部
１４    母体心磁除去処理部
１５    時相調整処理部
１６    データ保存部
１７    解析部
２０    記憶部
２１    生データ（第１のデータ）
２２    加算データ（第１のデータ）
２３    リストデータ（第１のデータと紐付けられたデータ）
２４    解析結果データ（第１のデータ、加工データ）
２５    一時保管データ
２６    レポートデータ（文書データ）
３０    表示部
４０    入力部
５００  リスト表示画面（第４の表示領域）
５０１  被検者リスト表示領域
５０２  検査リスト表示領域
５０３  データリスト表示領域
５０５  データ情報表示領域
６００  波形確認画面
６００ａ  モード設定画面
６１０  波形表示領域（第１の表示領域、生データ表示領域）
６２０  一時保管領域（第２の表示領域）
６３０  解析結果表示領域（第１の表示領域、加工データ表示領域）
６４０ａ  モード選択領域
７００  加算処理画面
７１０  加算処理表示領域（第３の表示領域）
７１２  加算設定領域
９００  解析画面
９１０  加算データ表示領域（第１の表示領域）
９２０  解析結果表示領域（第１の表示領域、加工データ表示領域）
９２０ａ  解析結果表示領域（第１の表示領域、加工データ表示領域）
１０００  レポート作成画面
１０１０  レポート作成領域（第２の表示領域、文書作成領域）
１０１１  被検者情報表示領域
１０１２  画像データ表示領域
１０１３  コメント表示領域
【図１】
2010094358.tif 000003
【図２】
2010094358.tif 000004
【図３】
2010094358.tif 000005
【図４】
2010094358.tif 000006
【図５】
2010094358.tif 000007
【図６】
2010094358.tif 000008
【図７】
2010094358.tif 000009
【図８】
2010094358.tif 000010
【図９】
2010094358.tif 000011
【図１０】
2010094358.tif 000012